(57)【要約】【課題】電力を用いることなく、異物除去と導入水又は空の浄化、殺菌を行うコンパクト構造の水・空気内の異物除去と浄化殺菌装置を提供する。【解決手段】異物を含有し、汚染されている水や空気は導入口７から外筒２内に導入され、外筒２内のサイクロン作用により異物の分離除去が行われる。異物を分離した浄化対象物（水や空気）はコイル状冷加温手段５により適温に温度保持されてフィルタ体３内に導入され、導入時に微細異物の除去されると共にフィルタ体３におけるイオン化作用により浄化、殺菌される。なお、オゾンランプ６により更に浄化、殺菌される。この処理済の浄化対象物（水や空気）は浄化殺菌体４に接触し、このイオン化作用により更に殺菌されて排出管８から外部側に排出される。【選択図】図１
2005058847.tif 000002
【特許請求の範囲】
【請求項１】
異物を含有し汚染されている水や空気の前記異物の除去と清浄化及び殺菌を行うための装置であって、該装置は、浄化対象物の導入管と浄化後の前記浄化対象物を排出する排出管とを有し下方側に向かって縮径するテーパ状中空筒体を有する筒体状の外筒と、該外筒内の上方側に収納されているフィルタ体と、該フィルタ体の内部に配置されて前記排出管に連結される浄化殺菌体と、前記外筒と前記フィルタ体との間に配設され内部に冷加温体を流通させるコイル状冷加温手段と、前記テーパ状中空筒体の下方に連結され異物処理手段側に連結される異物排出部とを有するものからなり、前記フィルタ体は、複数のスリットを形成する筒体と、この外周に巻回されるコイル状線とからなり、前記浄化殺菌体が、塩ビ筒の内部に複数のチタン管又は銅管とステンレス管等多種類の殺菌効果のある電極材とを同心状に多数配置したものからなることを特徴とする水・空気内の異物除去と浄化殺菌装置。
【請求項２】
前記フィルタ体の内部にはオゾンランプが配設されることを特徴とする請求項１に記載の水・空気内の異物除去と浄化殺菌装置。
【請求項３】
前記コイル状冷加温手段は導入される高温排水や高温排風による熱量摂取や送風に対する潜熱効果を上げるためのものであり、温度をコントロールする温度調節手段に連結されることを特徴とする請求項１又は２に記載の水・空気内の異物除去と浄化殺菌装置。
【発明の詳細な説明】
【技術分野】
【０００１】
本発明は、一般汚水及び汚染空気や沼，湖等の異物混在汚水等の異物除去と浄化細菌を行う装置に係り、特に、電力を使用せず省エネルギ化に寄与すると共に、浄化殺菌効率の高い水・空気内の異物除去と浄化殺菌装置に関する。
【背景技術】
【０００２】
水・空気の異物除去や浄化殺菌を行う装置としては各種のものがあるが、効率的な装置としては同一出願人による「特許文献１」がある。
【特許文献１】特開２００２−４５８６０
【発明の開示】
【発明が解決しようとする課題】
【０００３】
前記の「特許文献１」の特開２００２−４５８６０の「異物除去浄水装置」は、接線方向の導入管から導入された異物含有汚水が筒体の旋回して異物除去が行われると共に、プラス帯電されている内筒とマイナス帯電されている中心筒体とによる電気的作用により異物分類が行われ、更に、水のクラスタ化の促進により浄水作用が行われる。また、中心部に設けられているイオン発生金属に触れて殺菌が行われる。以上のように、この「異物除去浄水装置」は効果的な異物除去や殺菌が行うことができるが、電力を必要とし、省エネルギ化に反する問題点がある。また、導入される異物含有汚水の温度はまちまちであり、異物除去浄化処理を効率的に行うには汚水の温度コントロールが必要であるが、この手段が設けられていない。また、殺菌手段についてもより積極的な殺菌が不十分であり、十分の浄化殺菌が不足する問題点があった。
【０００４】
本発明は、以上の問題点を解決するもので、電力を用いずに異物除去や浄化，殺菌が行われ、効果的の浄化，殺菌が可能な水・空気内の異物除去と浄化殺菌装置を提供することを目的とする。
【課題を解決するための手段】
【０００５】
本発明は、以上の目的を達成するために、請求項１の発明は、異物を含有し汚染されている水や空気の前記異物の除去と清浄化及び殺菌を行うための装置であって、該装置は、浄化対象物の導入管と浄化後の前記浄化対象物を排出する排出管とを有し下方側に向かって縮径するテーパ状中空筒体を有する筒体状の外筒と、該外筒内の上方側に収納されているフィルタ体と、該フィルタ体の内部に配置されて前記排出管に連結される浄化殺菌体と、前記外筒と前記フィルタ体との間に配設され内部に冷加温体を流通させるコイル状冷加温手段と、前記テーパ状中空筒体の下方に連結され異物処理手段側に連結される異物排出部とを有するものからなり、前記フィルタ体は、複数のスリットを形成する筒体と、この外周に巻回されるコイル状線とからなり、前記浄化殺菌体が、塩ビ筒の内部に複数のチタン管又は銅管とステンレス管等多種類の殺菌効果のある金属電極材とを同心状に多数配置したものからなることを特徴とする。
【０００６】
また、請求項２の発明は、前記フィルタ体の内部にはオゾンランプが配設されることを特徴とする。
【０００７】
また、請求項３の発明は、前記コイル状冷加温手段は導入される高温排水や高温排風による熱量摂取や送風に対する潜熱効果を上げるためのものであり、温度をコントロールする温度調節手段に連結されることを特徴とする。
【発明の効果】
【０００８】
異物を含有し、汚染されている水・空気は導入管から導入され旋回作用を受けて異物を分離すると共に、外筒内で適温に冷却又は加温されてフィルタ体の外部からその内部に進入する。フィルタ体はコイル状線によって巻回されている浄化手段からなり、微細異物の除去分離と濾過が行われる。また、フィルタ体の本体とコイル状線との間のイオン効果により浄化，殺菌が行われる。フィルタ体内に導入された水や空気は浄化殺菌体内のイオン化効果により電解されて浄化殺菌が積極的に行われる。以上により、電力を用いることなく、異物除去と浄化殺菌が行われる。また、分離された異物は下方の異物排出部を介して異物処理手段に送られて処理される。
【０００９】
また、フィルタ体内にオゾンランプを設けることにより、特に空気のオゾン化が行われて、その浄化，殺菌がより効果的に行われる。
【００１０】
また、導入された水・空気の温度はまちまちであるが、適温の場合が異物除去と浄化効率がよい。よって、導入対象物はコイル状冷加温手段の温度コントロールにより適温に保持されて下流側に進む。これにより、より効果的の異物除去と浄化，殺菌が行われる。
【発明を実施するための最良の形態】
【００１１】
図１により、本発明の水・空気内の異物除去と浄化殺菌装置１の全体構造を説明する。外筒２は、上方側が中空円筒状の中空筒体２ａからなり、下方にこの中空筒体２ａと一体的構造で下方に向かって縮径するテーパ状中空筒体２ｂを形成するものからなる。また、前記中空筒体２ａには図６に示すようにその接線方向に沿って導入管７が連結され、中央筒体２ａの上部には排出管８が連結される。勿論、外筒２の上面は蓋体９により密閉される。また、テーパ状中空筒体２ｂの下方には異物排出部１０が設けられ、この異物排出部１０は弁１１等を介して異物処理手段１２側に連結される。以上の構造により、導入管７から導入された水・空気等の異物や汚染物を含む浄化対象物は外筒２内で旋回作用を受けて異物分離が行われ、分離された異物は異物排出部１０側に導入されて排出されて処理される。
【００１２】
外筒２内部には、同心状にフィルタ体３が設けられ、フィルタ体３の内部には、同心に浄化殺菌体４が設けられている。また、フィルタ体３と外筒との間には、浄化対象物の温度コントロールを行うためのコイル状冷加温手段５が設けられている。フィルタ体３や浄化殺菌体４により浄化、殺菌された水や空気は排出管８から外部に排出される。
【実施例１】
【００１３】
次に、本発明の各部の詳細構造を説明する。外筒２は、前記のように、接線方向に導入管７を連結した中空筒体２ａとこの下方に連結されるテーパ状中空筒体２ｂと、筒体２ａの上面を閉止する蓋体９と、蓋体９の中心に連結され、内部に連通する排出管８等とからなる。また、テーパ状中空筒体２ｂの下方には分離された異物を処理するための異物排出部１０やこれに連通する異物処理部１２等が設けられている。なお、外筒２はステンレス材から形成されているが、これに限定するものでなく、アルミ材でもよい。接線方向の導入管７とテーパ状中空筒体２ｂにより、外筒２の内部ではサイクロン運動が生じ、異物の分離除去が効率的に行われる。
【００１４】
図２及び図３に示すように、フィルタ体３は、筒状の筒体１３と、この外部に密に巻回されているコイル状線１４とからなる。なお、図示のように、フィルタ体３の外周にはコイル状冷加温手段５が適宜間隙を介して配置される。筒体１３はたとえば、ステンレス材からなり、多数のスリット１５が軸線方向に伸延し周方向に隣接して配置される。このスリット１５の大きさや数等は浄化対象物に対応して適宜決められるが、その幅寸法はかなり狭いものからなる。また、コイル状線１４は細線からなり、材質としてはステンレス材と異なる材料、例えば、銅線等とから形成される。筒体１３とこれと材質の異なる細線状のコイル状線１４との間のイオン効果により、水や空気は浄化されると共に、筒体１３のスリット１５により、異物の積極的除去が行われる。なお、このフィルタ体３内に導入される水や空気はコイル状冷加温手段５により適温に温度コントロールされる。
【実施例２】
【００１５】
次に、図４，図５により、本発明に使用されている浄化殺菌体４の詳細構造を説明する。図示のように、浄化殺菌体４は大きさの異なる円筒体を同心状に配置したものからなる。本実施例では最外方の円筒体として塩ビ管１６が用いられ、この内部にまずチタン管１７が設けられ、更に、その内部に順次ステンレス管１８、チタン管１９、ステンレス管２０及び最内部の中心にチタン管２１が夫々隣接して配置される。材質の異なる管を隣接して配置することにより、管間にイオンが発生し、このイオン効果により浄化対象物の浄化殺菌がより積極的に行われる。なお、本実施例では、図示のような６重の筒構造を採用したが、これに限定するものではない。また、材質もステンレス及びチタンに限定するものではない。
【実施例３】
【００１６】
図１に示すように、浄化対象物が空気の場合、フィルタ体３の内部にオゾンランプ６を配置することにより浄化殺菌がより効果的に行われる。本実施例のオゾンランプ６は図示のように細長の筒状のランプからなり、軸線方向に伸延するものからなり、円周方向に沿って多数本配置される。なお、オゾンランプ６は外筒２の蓋体９により上部を保持され、下方に向かって伸延して配置されるものからなる。その能力や本数等は浄化対象物の内容に対応して適宜設定される。
【実施例４】
【００１７】
図１及び図３に示すように、コイル状冷加温手段５は前記のようにフィルタ体３の外周に巻回して配置されるコイル管２２と、コイル管２２の出入口間に介設される温度コントロール部２３等とからなる。浄化対象物の種類と導入温度により温度コントロール部２３を調節し、コイル管２２の内部の媒体温度をコントロールする。なお、導入される浄化対象物の温度はまちまちであるが、周囲温度とほぼ同一温度がこれより低温で装置内に導入されることが異物除去や浄水殺菌効果に対して効果的であることは実証されている。
【００１８】
以上の水・空気内の異物除去と浄化殺菌装置１の構造により、導入管７から導入された浄化対象物は、コイル状冷加温手段５により適温に温度調節されて外筒２内に入り、サイクロン作用により異物を分離される。この浄化対象物はフィルタ体３内に入り、微細異物を除去されながら濾過され、かつイオン効果を受けて浄化殺菌されてフィルタ体３の内部に導入される。導入された浄化対象物は浄化殺菌体４に接触し、イオン効果により積極的な浄化、殺菌が行われ、また、オゾンランプ６により、浄化殺菌されて排出管８に進み、排出される。
【産業上の利用可能性】
【００１９】
本発明の水・空気内の異物除去と浄化殺菌装置１は、異物除去や浄化殺菌を必要とするすべて浄化対象物に対して適用され、その利用範囲は広い。よって、単に沼や湖の汚水処理に限らず、生活排水のすべての場所に採用される。
【図面の簡単な説明】
【００２０】
【図１】本発明の水・空気内の異物除去と浄化殺菌装置の全体構造を示す軸断面図。
【図２】本発明の水・空気内の異物除去と浄化殺菌装置の主要構成要素であるフィルタ体とこれを囲むコイル状冷加温手段を示す正面図。
【図３】図２のＡ−Ａ線断面図。
【図４】本発明の水・空気内の異物除去と浄化殺菌装置の主要構成要素である浄化殺菌体の構造を示す正面図。
【図５】図４のＢ−Ｂ線断面図。
【図６】外筒とこれに連結されている導入管及び排出管との連結状態を示す上面図。
【符号の説明】
【００２１】
１    水・空気内の異物除去と浄化殺菌装置
２    外筒
２ａ  中空筒体
２ｂ  テーパ状中空筒体
３    フィルタ体
４    浄化殺菌体
５    コイル状冷加温手段
６    オゾンランプ
７    導入管
８    排出管
９    蓋体
１０  異物排出部
１１  弁
１２  異物処理手段
１３  筒体
１４  コイル状線
１５  スリット
１６  塩ビ管
１７  チタン管
１８  ステンレス管
１９  チタン管
２０  ステンレス管
２１  チタン管
２２  コイル管
２３  温度コントロール部
【図１】
2005058847.tif 000003
【図２】
2005058847.tif 000004
【図３】
2005058847.tif 000005
【図４】
2005058847.tif 000006
【図５】
2005058847.tif 000007
【図６】
2005058847.tif 000008